(57)【要約】【課題】  定量の錠剤を取り出すことができる錠剤容器を提供すること。【解決手段】  錠剤Ｔを収納する容器本体Ａと、容器本体Ａの口部１に装着されるキャップ本体Ｂ１と、キャップ本体Ｂ１の天面を覆う蓋体Ｂ２とを備える錠剤容器であって、キャップ本体Ｂ１は、連通孔７が開口された底壁６と、底壁６の周縁から立設された側周壁８とを備え、底壁６は、錠剤Ｔの待機エリアａを形成するリング状底部６ａと、リング状底部６ａから突出して錠剤Ｔの計量エリアｂを形成する突出底部６ｂとを備え、蓋体Ｂ２は、キャップ本体Ｂ１の側周壁８の外周縁と同形の蓋板２０と、蓋板２０から垂設され、キャップ本体Ｂ１の側周壁８内面に摺接する中足壁２１とを備えることを特徴とする。【選択図】  図１
2019011107.tif 000002
【特許請求の範囲】
【請求項１】
錠剤を収納する容器本体と、容器本体の口部に装着されるキャップ本体と、キャップ本体の天面を覆う蓋体とを備える錠剤容器であって、
キャップ本体は、連通孔が開口された底壁と、底壁の周縁から立設された側周壁とを備え、
底壁は、錠剤の待機エリアを形成するリング状底部と、リング状底部から突出して錠剤の計量エリアを形成する突出底部とを備え、
蓋体は、キャップ本体の側周壁の外周縁と同形の蓋板と、蓋板から垂設され、キャップ本体の側周壁内面に摺接する中足壁とを備えることを特徴とする錠剤容器。
【請求項２】
リング状底部は、突出底部側に形成された待機凹部を備えることを特徴とする請求項１に記載の錠剤容器。
【請求項３】
リング状底部は、突出底部と反対側から突出底部側に向けて下り勾配の傾斜面であることを特徴とする請求項１または２に記載の錠剤容器。
【請求項４】
側周壁は、リング状底部の周縁から立設された円弧壁と、突出底部の周縁から立設された突出壁とを備え、
側周壁の円弧壁は、内面に設けられた係止溝を有し、
蓋体の中足壁は、係止溝に嵌合する係止凸条を有することを特徴とする請求項１〜３のいずれかに記載の錠剤容器。
【請求項５】
蓋体の蓋板は、待機エリアに対応する円形板部と、計量エリアに対応する突出板部とを有し、
蓋体の中足壁は、側周壁の内面に摺接して回動する際に、待機エリアと計量エリアとの流通路を遮断することを特徴とする請求項１〜４のいずれかに記載の錠剤容器。
【請求項６】
蓋体は、突出板部の周縁から破断可能な弱化片を介して接続された封印部材を備えることを特徴とする請求項５に記載の錠剤容器。
【発明の詳細な説明】
【技術分野】
【０００１】
本発明は、計量機能付きキャップが装着された錠剤容器に関し、とくに、定量の錠剤を取り出すことができる計量機能付きキャップが装着された錠剤容器に関するものである。
【背景技術】
【０００２】
錠剤容器において、図８に示すように、容器本体Ａａの口部１に螺合されたねじキャップＣを開蓋し、容器本体Ａａ内の錠剤を所定の個数だけ取り出すには、容器本体Ａａを傾けながら収納された錠剤を少しずつ振り出す必要があり、面倒であった。
このため、スライド部材を装着したケース本体と、取出口を設けた蓋体によって構成し、ケース本体に、複数の錠剤を保持する保持部と、スライド部材のガイド部材を設け、スライド部材と蓋板と、挿入開口を設けた側壁と遮蔽板を設けることにより、スライド部材が、所定位置で、蓋板で取出口を閉じるとともに、収納室から挿入開口を通って保持部で複数の錠剤を保持させ、スライド部材を移動させることによって、移動に応じて取出口を開き、取出口を下方に向けることによって所定の個数の錠剤を取り出すことができる錠剤ケースが従来から知られている（特許文献１参照）。
【先行技術文献】
【特許文献】
【０００３】
【特許文献１】特開２００８−２１３８６５号公報
【発明の概要】
【発明が解決しようとする課題】
【０００４】
しかしながら、上記特許文献１記載の錠剤ケースは、ケースが扁平で携帯するのに便利であるが、図８に示す従来の錠剤容器のように多量の錠剤を収納できないという問題があった。
【０００５】
本発明は、上記問題を解決することを課題とし、従来の錠剤容器に計量機能付きキャップを装着することにより、定量（所定の個数）の錠剤を取り出すことができる錠剤容器を提供することを目的とする。
【課題を解決するための手段】
【０００６】
本発明は、上記の課題を解決するため、錠剤容器として、錠剤を収納する容器本体と、容器本体の口部に装着されるキャップ本体と、キャップ本体の天面を覆う蓋体とを備える錠剤容器であって、キャップ本体は、連通孔が開口された底壁と、底壁の周縁から立設された側周壁とを備え、底壁は、錠剤の待機エリアを形成するリング状底部と、リング状底部から突出して錠剤の計量エリアを形成する突出底部とを備え、蓋体は、キャップ本体の側周壁の外周縁と同形の蓋板と、蓋板から垂設され、キャップ本体の側周壁内面に摺接する中足壁とを備えることを特徴とする構成を採用する。
【０００７】
錠剤容器の実施形態として、リング状底部は、突出底部側に形成された待機凹部を備えることを特徴とする構成を採用し、また、リング状底部は、突出底部と反対側から突出底部側に向けて下り勾配の傾斜面であることを特徴とする構成を採用し、さらに、側周壁は、リング状底部の周縁から立設された円弧壁と、突出底部の周縁から立設された突出壁とを備え、側周壁の円弧壁は、内面に設けられた係止溝を有し、蓋体の中足壁は、係止溝に嵌合する係止凸条を有することを特徴とする構成を採用する。
【０００８】
錠剤容器の具体的実施形態として、蓋体の蓋板は、待機エリアに対応する円形板部と、計量エリアに対応する突出板部とを有し、蓋体の中足壁は、側周壁の内面に摺接して回動する際に、待機エリアと計量エリアとの流通路を遮断することを特徴とする構成を採用し、また、蓋体は、突出板部の周縁から破断可能な弱化片を介して接続された封印部材を備えることを特徴とする構成を採用する。
【発明の効果】
【０００９】
本発明の錠剤容器は、キャップ本体が、連通孔が開口された底壁と、底壁の周縁から立設された側周壁とを備え、底壁が、錠剤の待機エリアを形成するリング状底部と、リング状底部から突出して錠剤の計量エリアを形成する突出底部とを備え、側周壁は、リング状底部の周縁から立設された円弧壁と、突出底部の周縁から立設された突出壁とを備え、蓋体が、キャップ本体の側周壁の外周縁と同形の蓋板と、蓋板から垂設され、キャップ本体の側周壁内面に摺接する中足壁とを備えることによって、容器本体内の錠剤に直接触れることなしに、容器本体を転倒して戻すだけで定量の錠剤を取り出すことができる。
【図面の簡単な説明】
【００１０】
【図１】本発明の第１実施例である錠剤容器の使用前状態を示す図であり、（ａ）は（ｂ）のＸ−Ｘ矢視断面図、（ｂ）は側面断面図である。
【図２】本発明の第１実施例である錠剤容器の計量機能付きキャップを示す図であり、（ａ）は上面図、（ｂ）は側面断面図である。
【図３】本発明の第１実施例である錠剤容器の計量機能付きキャップのキャップ本体を示す図であり、（ａ）は上面図、（ｂ）は側面断面図である。
【図４】本発明の第１実施例である錠剤容器の計量機能付きキャップの蓋体を示す図であり、（ａ）は上面図、（ｂ）は側面断面図、（ｃ）は下面図である。
【図５】本発明の第１実施例である錠剤容器の計量機能付きキャップの蓋体を示す図であり、（ａ）は図４（ａ）の要部拡大図、（ｂ）は図４（ｂ）の要部拡大図である。
【図６】本発明の第１実施例である計量機能付きキャップを装着した錠剤容器の使用時の状態を示す図であり、（ａ）は上面図、（ｂ）は側面断面図である。
【図７】本発明の第２実施例である錠剤容器の計量機能付きキャップを示す図であり、（ａ）は（ｂ）のＹ−Ｙ矢視断面図、（ｂ）は側面断面図である。
【図８】錠剤容器の流通時を示す側面半断面図である。
【発明を実施するための形態】
【００１１】
つぎに、本発明の計量機能付きキャップを装着した錠剤容器について、実施例をあげ、図面を参照して説明する。
【実施例１】
【００１２】
図１において、Ａは容器本体、Ｂは容器本体Ａに装着される計量機能付きキャップである。
なお、以下の説明において、図１（ｂ）でみて、左方向を「正面」とし、右方向を「背面」とし、上方向を「上」とし、下方向を「下」とする。
【００１３】
図１に示すように、容器本体Ａは、円筒状の口部１と、口部１の下端に連設される有底の胴部２とを備えており、口部１の外周には、係合突条３が形成されている。
容器本体Ａには、錠剤Ｔが収納されるが、錠剤Ｔとして、薬剤の他に、栄養剤、キャンデー等の扁平な粒状物を収納することができる。
【００１４】
図１および図２に示すように、計量機能付きキャップＢは、容器本体Ａの口部１に装着されるキャップ本体Ｂ１と、キャップ本体Ｂ１の天面を覆う蓋体Ｂ２と、蓋体Ｂ２の回動を阻止する封印部材Ｂ３とから構成されている。
【００１５】
図１〜３に示すように、キャップ本体Ｂ１は、容器本体Ａの口部１に装着される装着部５と、装着部５の上部に形成された平板状の底壁６と、底壁６に貫通された円形状の連通孔７と、底壁６の周縁から立設された側周壁８とを備えている。
底壁６と側周壁８とによって形成された領域は、錠剤Ｔが一時的に貯留されるリング状の待機エリアａと、待機エリアａから径方向外方に突出した計量エリアｂとから構成されている。
本実施例では、計量エリアｂの周方向長さは、錠剤Ｔが３個並ぶように設定されているが、所望する個数に応じて計量エリアｂの周方向長さを設定することができる。
【００１６】
装着部５は、装着時に口部１の上端面と当接される環状の基壁９と、基壁９の外周縁から垂設された外筒１０と、基壁９の内周縁から垂設された内筒１１とから構成されている。
外筒１０の内周には、口部１の係合突条３と係合する係合部１２が形成されている。
【００１７】
底壁６は、外筒１０の周縁に沿って待機エリアａを形成するリング状底部６ａと、リング状底部６ａから径方向外方に突出して計量エリアｂを形成する正面側が円弧状の突出底部６ｂとから構成され、連通孔７は、リング状底部６ａの中央に形成されている。
なお、本実施例では、円形状の連通孔７は、リング状底部６ａの中央に形成されているが、リング状底部６ａは、突出底部６ｂ側（正面側）に錠剤Ｔを貯留する場所を確保できればよいので、連通孔７は、リング状底部６ａの背面側に偏って形成されていても構わない。また、連通孔７の形状も円形に限らず、楕円や多角形であっても構わない。
【００１８】
側周壁８は、待機エリアａを形成するリング状底部６ａの周縁から立設された円弧壁８ａと、計量エリアｂを形成する突出底部６ｂの周縁から立設された突出壁８ｂとから構成され、円弧壁８ａと突出壁８ｂは、滑らかに接続されている。
円弧壁８ａの内面の中段には、円弧全周にわたって延びる係止溝１３が設けられている。
【００１９】
図１、図２、図４および図５に示すように、蓋体Ｂ２は、キャップ本体Ｂ１の側周壁８の外周縁と同形の蓋板２０を備えており、蓋板２０は、待機エリアａに対応する円形板部２０ａと、計量エリアｂに対応する突出板部２０ｂとから構成されている。
【００２０】
円形板部２０ａの下面には、突出板部２０ｂと接続する部分を除いて、キャップ本体Ｂ１の円弧壁８ａの内面に摺接する円弧状の中足壁２１が垂設されており、中足壁２１の外面には、キャップ本体Ｂ１の円弧壁８ａの係止溝１３に嵌合する係止凸条２２が突設されている。
【００２１】
図４および図５に示すように、蓋体Ｂ２は、突出板部２０ｂの周縁から破断可能な弱化片２３を介して垂設された封印部材Ｂ３と接続されている。
本実施例では、弱化片２３は、蓋体Ｂ２と封印部材Ｂ３との間に、５箇所設けられているが、弱化片２３は、必要に応じて任意の箇所に設けることができる。
封印部材Ｂ３は、計量機能付きキャップＢの未使用時に、キャップ本体Ｂ１の突出壁８ｂの外側を包囲する包囲壁２５と、包囲壁２５の両側端に形成された摘み部２６とから構成されている。
【００２２】
つぎに、本実施例の使用態様と作用効果について説明する。
計量機能付きキャップＢの組立にあたって、封印部材Ｂ３がキャップ本体Ｂ１の突出壁８ｂの外側を包囲するように、蓋体Ｂ２を、蓋板２０の外周縁がキャップ本体Ｂ１の側周壁８の外周縁に合致するようにして押込む。
【００２３】
このとき、図１（ａ）に示すように、蓋体Ｂ２の中足壁２１の外面は、円弧壁８ａの内面と摺接し、中足壁２１の周方向端部は、円弧壁８ａの周方向端部と一致するため、待機エリアａと計量エリアｂの間には、流通路が形成され、錠剤Ｔが流通可能な状態となっている。
さらに、中足壁２１の外面に形成された係止凸条２２は、円弧壁８ａの内面に形成された係止溝１３に嵌合し、キャップ本体Ｂ１に対して蓋体Ｂ２が上下方向に動くのを阻止している。
【００２４】
つぎに、組立終わった計量機能付きキャップＢは、図１に示す状態で、錠剤Ｔが充填された容器本体Ａの口部１に打栓して装着される。
打栓工程は、キャップ本体Ｂ１の基壁９と外筒１０と内筒１１との間に形成される環状溝部に容器本体Ａの口部１を当てがい、蓋体Ｂ２の上から押圧力が加えられると、外筒１０の係合部１２は、口部１の係合突条３を乗り越え、口部１は、内筒１１の外周と外筒１０の内周、および基壁９と係合部１２とによって挟持され、計量機能付きキャップＢが容器本体Ａに装着される。
【００２５】
つぎに、錠剤Ｔの計量、取出しについて説明する。
本実施例の計量機能付きキャップＢが装着された錠剤容器を初めて使用する際には、封印部材Ｂ３の包囲壁２５の両側端に形成された摘み部２６の何れか一方を手指で摘んでひきちぎることにより、弱化片２３を破断し、封印部材Ｂ３を蓋体Ｂ２から取り除く。
計量機能付きキャップＢは、封印部材Ｂ３を取り除くことによって、蓋体Ｂ２をキャップ本体Ｂ１に対して周方向に回動させることができる。
なお、封印部材Ｂ３は、必要に応じて設けることができ、省略しても構わない。
【００２６】
錠剤Ｔを定量（本実施例では３個）取り出すには、容器本体Ａを計量機能付きキャップＢが下になるように転倒させることにより、容器本体Ａ内の錠剤Ｔを連通孔７を通して計量機能付きキャップＢの待機エリアａ内に移動させる。
このとき、待機エリアａの上下方向の高さは、錠剤Ｔの厚さよりも少しだけ高く設定されているので、錠剤Ｔは、横に整列された状態で連通孔７から待機エリアａ内に入ることになる。
その後、計量機能付きキャップＢの計量エリアｂ（突出壁８ｂ）が下を向くように、静かに容器本体Ａを元の姿勢に戻すと、底壁６上に載らなかった錠剤Ｔは、連通孔７から容器本体Ａ内に戻り、底壁６には、突出底部６ｂ上に保持された３個の錠剤Ｔだけではなく、リング状底部６ａ上にも整列された錠剤Ｔが保持される。
【００２７】
つぎに、蓋体Ｂ２を周方向の何れか一方向に回動させると、突出壁８ｂによって形成された計量エリアｂの天面が開口されるので、開口された天面を下側して錠剤Ｔを手のひらに受けて、３個の錠剤Ｔを取出すことができる。
その際、図６（ａ）に示すように、蓋体Ｂ２の突出板部２０ｂを所定の位置まで右方向に回動させると、計量エリアｂの天面が開口されるとともに、中足壁２１が、計量エリアｂと待機エリアａとの流通路を遮断し、待機エリアａから新しい錠剤Ｔが計量エリアｂに入ることを阻止する。
３個の錠剤Ｔを取り出した後、蓋体Ｂ２を逆方向に回動して計量エリアｂの天面を閉じると、中足壁２１は、再び計量エリアｂと待機エリアａとの流通路を開放し、待機エリアａから新しい錠剤Ｔを計量エリアｂに移動させることができる。
【００２８】
本実施例の計量機能付きキャップＢが装着された錠剤容器は、容器本体Ａ内の錠剤Ｔに直接手を触れることなく、定量の錠剤Ｔを計量エリアｂの開口部から取り出すことができるので、衛生的である。
図６に示す実施例では、蓋体Ｂ２を上面視で右方向に回動させたが、左方向に回動させてもよいし、また、一方向のみに回動させるようにしてもよい。
さらに、蓋体Ｂ２をキャップ本体Ｂ１に対して必要以上に回動しないように、ストッパーを設けてもよい。
【実施例２】
【００２９】
つぎに、流通時は、錠剤容器を通常のねじキャップで密封し、使用時には、別添の計量機能付きキャップに付け替える第２実施例について、図を参照して説明する。
以下、第１実施例と同一の構成部分には同一の符号を付し、変更部分に新たな符号を付し、相違点を中心に説明する。
【００３０】
図７および図８において、Ａａは容器本体、Ｂａは容器本体Ａａに装着される計量機能付きキャップである。
図８に示すように、容器本体Ａａは、口部１と、口部１の下端に連設される有底の胴部２とを備えており、口部１の外周には、外周ねじ部４が形成されている。
図７に示すように、計量機能付きキャップＢａは、容器本体Ａａの口部１に装着され、天面が開放されたキャップ本体Ｂ１ａと、キャップ本体Ｂ１ａの天面を覆う蓋体Ｂ２と、蓋体Ｂ２の回動を阻止する封印部材Ｂ３とから構成されている。
【００３１】
キャップ本体Ｂ１ａは、容器本体Ａａの口部１に装着される装着部５と、装着部５の上部に形成された平板状の底壁１６と、底壁１６に貫通された円形状の連通孔７と、底壁１６の周縁から立設された側周壁８とを備えている。
装着部５は、装着時に口部１の上端面と当接される環状の基壁９と、基壁９の外周縁から垂設された外筒１０と、基壁９の内周縁から垂設された内筒１１とから構成されており、さらに、基壁９の下面には、コンタクトリング１５が形成されている。
外筒１０の内周には、容器本体Ａａの口部１の外周ねじ部４と螺合する内周ねじ部１４が形成されている。
【００３２】
底壁１６は、外筒１０の周縁に沿って待機エリアａを形成するリング状底部１６ａと、リング状底部１６ａから径方向外方に突出して計量エリアｂを形成する正面側が円弧状の突出底部１６ｂとから構成され、連通孔７は、リング状底部１６ａの中央に形成されている。
リング状底部１６ａは、突出底部１６ｂと反対側（背面側）から突出底部１６ｂ側（正面側）に向けて、全体が下り勾配の傾斜面に形成されるとともに、突出底部１６ｂの近傍には、計量エリアｂに移動させる錠剤Ｔを待機させるために、３個の待機凹部１７が形成されている。
さらに、リング状底部１６ａは、連通孔７の周縁に沿って堰き止め部１８が形成され、堰き止め部１８の縦断面形状は、連通孔７からエッジのない滑らかな円弧を描きながら頂点に達し、頂点から径方向外方に緩やかに傾斜しており、連通孔７から待機エリアａに錠剤Ｔが入り易くするとともに、一旦、リング状底部１６ａに載った錠剤Ｔが待機凹部１７に移動し易くしている。
なお、本実施例の底壁１６の構成は、第１実施例にも適用できることは、いうまでもない。
【００３３】
図８に示すように、流通用ねじキャップＣは、通常に容器本体Ａａの密封に使用されるもので、円板状の頂壁３０と、頂壁３０の周縁から垂設された外周壁３１と、外周壁３１の内周に形成され、口部１の外周ねじ部４と螺合する内周ねじ部３２とから構成されている。
【００３４】
つぎに、本実施例の使用態様と作用効果について説明する。
計量機能付きキャップＢａの組立は、第１実施例と同様の手順で行われる。
本実施例の錠剤容器は、容器本体Ａａに錠剤Ｔを充填した後、図８に示すように、流通用ねじキャップＣを口部１に螺合して密封し、計量機能付きキャップＢａを別個に添付して流通に供する。
錠剤容器の使用時には、流通用ねじキャップＣを容器本体Ａａの口部１から外して開封し、図７に示す別添の計量機能付きキャップＢａを口部１に螺合することにより付け替える。
【００３５】
計量機能付きキャップＢａを装着した錠剤容器による錠剤Ｔの取り出しは、第１実施例と同様に行うことができるが、底壁１６のリング状底部１６ａに、待機凹部１７を形成したことにより、計量エリアｂに移動させる前の錠剤Ｔを所定位置に待機させることができ、錠剤Ｔの定量取り出しをより確実にできる。
また、リング状底部１６ａは、背面側から正面側に向けて、全体を下り勾配の傾斜面とするとともに、連通孔７の周縁に沿って堰き止め部１８を形成したことにより、リング状底部１６ａに載った錠剤Ｔを連通孔７から落下させることなく、背面側から待機凹部１７に向けて移動させ易くすることができる。
本実施例の錠剤容器は、流通時に、通常の流通用ねじキャップＣにより密封されているので、流通用ねじキャップＣよりも嵩張る計量機能付きキャップＢａが装着された錠剤容器よりもコンパクトな状態で流通させることができる。
【産業上の利用可能性】
【００３６】
本発明の錠剤容器は、錠剤が収納された容器本体に装着することにより、容器本体内の錠剤に直接触れることなしに、定量の錠剤を取出すことができ、薬剤だけでなく、キャンデー等の扁平な粒状の食料品の容器として、広く利用することができる。
【符号の説明】
【００３７】
Ａ、Ａａ  容器本体
Ｂ、Ｂａ  計量機能付きキャップ
Ｂ１、Ｂ１ａ  キャップ本体
Ｂ２      蓋体
Ｂ３      封印部材
Ｃ        流通用ねじキャップ
ａ        待機エリア
ｂ        計量エリア
Ｔ        錠剤
１        口部
２        胴部
３        係合突条
４        外周ねじ部
５        装着部
６、１６  底壁
６ａ、１６ａ  リング状底部
６ｂ、１６ｂ  突出底部
７        連通孔
８        側周壁
８ａ      円弧壁
８ｂ      突出壁
９        基壁
１０        外筒
１１        内筒
１２        係合部
１３        係止溝
１４、３２  内周ねじ部
１５        コンタクトリング
１７        待機凹部
１８        堰き止め部
２０        蓋板
２０ａ      円形板部
２０ｂ      突出板部
２１        中足壁
２２        係止凸条
２３        弱化片
２５        包囲壁
２６        摘み部
３０        頂壁
３１        外周壁
【図１】
2019011107.tif 000003
【図２】
2019011107.tif 000004
【図３】
2019011107.tif 000005
【図４】
2019011107.tif 000006
【図５】
2019011107.tif 000007
【図６】
2019011107.tif 000008
【図７】
2019011107.tif 000009
【図８】
2019011107.tif 000010